(57)【要約】【課題】画像読取記録装置において、記録ユニットに対して読取ユニットが開いた状態で、読み取りユニットの原稿台に対して圧板部が開くことを防止する。【解決手段】この画像読取記録装置は、記録ユニット１に対して、原稿台４と圧板部５からなる読取ユニット２を開いた状態にしたときに、原稿台４に対して圧板部５が開く状態になることを規制する圧板部規制手段８を備える。圧板部規制手段８は、爪部８０ｂを有する回転可能な圧板部規制レバー８０と、爪部８０ｂに係合可能な圧板部固定フック５ｃと、を有する。圧板部規制レバー８０は原稿台４に設けられ、圧板部固定フック５ｃは圧板部５に設けられている。【選択図】図５
2012033992.tif 000002
【特許請求の範囲】
【請求項１】
画像情報に基づいて被記録材に画像を記録する記録ユニットと、原稿を読み取る読取ユニットとを備え、該読取ユニットは、該記録ユニットに対して開閉可能に配され、原稿を載置する原稿台と、該記録ユニットおよび該原稿台に対して開閉可能に配され、該原稿台に原稿を押し付ける圧板部と、を有する画像読取記録装置において、
前記記録ユニットに対して、前記原稿台と前記圧板部の両方とも開いたときに、前記原稿台に対して前記圧板部が開く状態になることを規制する圧板部規制手段をさらに備えたことを特徴とする画像読取記録装置。
【請求項２】
前記原稿台に対して前記圧板部が開いたときに、前記記録ユニットに対して前記読取ユニットの前記原稿台が開くことを規制する原稿台規制手段をさらに備えたことを特徴とする請求項１に記載の画像読取記録装置。
【請求項３】
前記記録ユニットに対して前記原稿台が開いたときに、前記原稿台に対して前記圧板部が開くことを規制する前記圧板部規制手段が動作され、前記圧板部規制手段は、前記記録ユニットに対して前記原稿台が閉じたときに、前記原稿台に対して前記圧板部の規制が解除され開くことが可能になることを特徴とする請求項１または請求項２に記載の画像読取記録装置。
【請求項４】
前記圧板部規制手段は、爪部を有する回転可能な圧板部規制レバーと、前記爪部に係合可能な圧板部固定フックと、を有することを特徴とする請求項１または請求項２に記載の画像読取記録装置。
【請求項５】
前記圧板部規制レバーが前記原稿台に設けられ、前記圧板部固定フックが前記圧板部に設けられていること特徴とする請求項４に記載の画像読取記録装置。
【請求項６】
前記圧板部規制レバーが前記圧板部に設けられ、前記圧板部固定フックが前記原稿台に設けられていて、さらには、前記圧板部固定フックに対する前記圧板部規制レバーの規制を解除する解除手段が前記原稿台側に設けられていることを特徴とする請求項４に記載の画像読取記録装置。
【請求項７】
前記圧板部規制手段の動きを検出するスイッチが設けられていて、前記記録ユニットに対して、前記読取ユニットが開いたことを検知することを特徴とする請求項１または請求項２に記載の画像読取記録装置。
【請求項８】
前記圧板部には、自動原稿供給装置が設けられていることを特徴とする請求項１乃至７のいずれか１項に記載の画像読取記録装置。
【請求項９】
前記圧板部には、画像読取記録装置の操作部と表示パネル部の少なくともいずれかが設けられていることを特徴とする請求項１乃至８のいずれか１項に記載の画像読取記録装置。
【請求項１０】
前記記録ユニットは、被記録材を搬送する搬送手段と、該被記録材へインク滴を吐出する記録ヘッドを搭載するキャリッジとを内蔵することを特徴とする請求項１乃至９のいずれか１項に記載の画像読取記録装置。
【請求項１１】
前記読取ユニットは、前記記録ユニットに対して開くことで前記記録ユニットの内部へアクセス可能となることを特徴とする請求項１または請求項２に記載の画像読取記録装置。
【発明の詳細な説明】
【技術分野】
【０００１】
本発明は、画像情報に基づいて被記録材に画像を記録する記録ユニットと、該記録装置に開閉可能に装着された読取ユニットとを備えた画像読取記録装置に関する。
【背景技術】
【０００２】
画像読取記録装置として、記録用紙に画像を記録する記録ユニットと、記録ユニットに開閉可能に装着された読取ユニットと、を備える形態のものが使用されている。読取ユニットは、原稿の画像をＣＣＤ等の読取手段で読み取るものであり、スキャナを構成している原稿台と、読取ユニットの原稿台に原稿を押し付けるために原稿台に開閉可能に取り付けられている圧板部とから構成されている。
【０００３】
図７乃至図１０において、（ａ）は、上記形態を有する画像読取記録装置の種々の使用時の主要部状態を装置左手側面からみた透視図で、（ｂ）は、（ａ）の破線円部Ｙの詳細図である。図７は記録ユニット１に対して、原稿台４と圧板部５からなる読取ユニット２を閉じた状態を示す。図８は図７の状態から原稿台４に対して圧板部５を開いた状態を示す。図９は図７の状態から記録ユニット１に対して、原稿台４と圧板部５からなる読取ユニット２を開いた状態を示す。図１０は図９の状態から原稿台４に対して圧板部５を開いた状態を示す。
【０００４】
図７乃至図１０を参照すると、原稿台４と圧板部５からなる読取ユニット２については、圧板部５が原稿台４に対して圧板ヒンジ６により、回転可能にかつ上下移動可能に取り付けられている。
【０００５】
また、記録ユニット１の上部に読取ユニット２が蓋状に構成されている。読取ユニット２は記録ユニット１に対して、原稿台ヒンジ９を中心に回転し、開閉可能に装着されている。読取ユニット２が開放された図９の状態では、記録ユニット１の内部にアクセス可能な状態となる。つまり、記録ユニット１の内部を確認することができる。さらには、読取ユニット２が開放されていることを検出手段で検出すると、記録ユニット１のインクタンクを交換するために記録ヘッド及びインクタンクを搭載したキャリッジを装置の中央部の交換位置へ移動させて、記録ヘッド、インクタンク等を交換したりすることが可能な状態となる。
【０００６】
上記構成において画像読取記録装置では、図８に示すように、読取ユニット２の原稿台４に原稿を押し付けるための圧板部５を勢いよく開いていくと、圧板部５を開放する力による連れ動きの作用が原稿台４に生じる。この連れ動きの作用により、図１０に示すように、原稿台４まで不用意に開いてしまうという不都合があった。さらには、原稿台４までつれ動きして開くために、記録ユニット１の記録ヘッドやインクタンクを搭載したキャリッジが不用意にアクセス可能な交換位置に出てきてしまうという不都合があった。
【０００７】
そのため、読取ユニット２のうち原稿台４に対して圧板部５が開いたときに、記録ユニット１に対して原稿台４を閉じた状態に規制する原稿台規制手段７が設けられている。
【０００８】
図７乃至図１０において、原稿台規制手段７は、画像読取記録装置の左手側面側に配置されている。原稿台規制手段７は、原稿台規制レバー７０と原稿台固定フック７１で構成されている。原稿台規制レバー７０は、その中間部の軸受部７０ａを介して、原稿台４の軸４ｄに回転可能に軸支されている。原稿台固定フック７１は、記録ユニット１の上部のミドルフレーム１０に設けられている。
【０００９】
原稿台規制レバー７０は略Ｌ字状をしており、その一方のアーム部には突起部７０ｃが設けられている。この突起部７０ｃは、原稿台規制ばね（図示の例では圧縮コイルスプリング）７２により原稿台規制レバー７０が軸受部７０ａを中心に図示反時計回り（矢印Ａ）に付勢され、原稿台４より上方へ突出する。また、原稿台規制レバー７０の他方のアーム部は、記録ユニット１側へ突出しており、この原稿台規制レバー７０のアーム部の先端には、記録ユニット１のミドルフレーム１０に設けられている原稿台固定フック７１と係合可能な爪部７０ｂが設けられている。
【００１０】
図７の記録ユニット１に対して、原稿台４と圧板部５からなる読取ユニット２を閉じた状態では、原稿台規制レバー７０の突起部７０ｃが、圧板部５の底面（底部）に設けられた、圧板部突起部５ｂに突き当たり押し下げられ、原稿台規制レバー７０は、原稿台規制ばね７２に抗して図示時計回り（矢印Ｂ）に回転変位する。このため、原稿台規制レバー７０の爪部７０ｃは、記録ユニット１のミドルフレーム１０に設けられた原稿台固定フック７１から離れており、原稿台固定フック７１に引っ掛からない状態になっている。このような図７の状態では、読取ユニット２は、記録ユニット１に対して、原稿台ヒンジ９を中心に開放（回転）可能であり、図９の状態とすることが可能である。
【００１１】
図７の状態から原稿台４に対して圧板部５を開いた状態、すなわち図８の状態では、原稿台規制ばね７２の付勢力によって、原稿台規制レバー７０は図示反時計回り（矢印Ａ）回転し、突起部７０ｃが上方へ突出する。このような位置まで原稿台規制レバー７０が回転すると、原稿台規制レバー７０に設けられた爪部７０ｂが記録ユニット１のミドルフレーム１０に設けられた原稿台固定フック７１と引っ掛かった状態（クランプされた状態）になる。これによって、原稿台４は、記録ユニット１に対して原稿台ヒンジ９を中心に回転できない状態になる。つまり、圧板部５を開くと、原稿台４は、閉じた位置に規制（ロック）され開放することができない規制状態となる（特許文献１参照）。
【先行技術文献】
【特許文献】
【００１２】
【特許文献１】特開２００８−０５３８８３号公報
【発明の概要】
【発明が解決しようとする課題】
【００１３】
しかしながら、上記構成の従来の画像読取記録装置では、次のような課題が残されていた。原稿を載置する原稿台と、原稿台に原稿を押し付ける圧板部と、を有する読取ユニットを記録ユニットに開閉可能に備えた画像読取記録装置において、記録ユニットに対して、読取ユニット（原稿台と圧板部の両方）を開いた状態（図９）にしたときに、原稿台に対して圧板部を開く状態にすることが可能である。原稿台と圧板部の両方が開状態になると、記録ユニット後方の壁（または記録ユニットの給紙部トレー等）に圧板部が当り、傷または破壊に至ることがある。また、後方への画像読取記録装置の転倒に至ることがある。
【００１４】
つまり、図９の状態から、さらに、図１０に示すように、記録ユニット１に対して読取ユニット２の原稿台４が開くとともに原稿台４に対して圧板部５も開いた状態となることが可能である。このとき、圧板部５は記録ユニット１の被記録材を１枚ずつ分離して給送するための給紙部（ＡＳＦユニット：自動給紙ユニット）のトレー２０に当った状態となる。さらには、記録ユニット後方の壁に当たる場合もある。
【００１５】
そこで、記録ユニットに対して読取ユニット（原稿台と圧板部からなるユニット）の開き角度、または、原稿台に対して圧板部の開き角度を狭くすると、圧板部５が給紙部（ＡＳＦユニット）のトレー２０と当ることを回避できる。しかし、これらの開き角度を狭くすると、記録ヘッドやインクタンク等の交換や、原稿のセットにおける操作性が低下する。
【００１６】
本発明はこのような課題を解決するためになされたものである。本発明の目的の一例は、画像読取記録装置において、記録ユニットに対して読取ユニットが開いた状態で、読み取りユニットの原稿台に対して圧板部が開くことを防止することである。
【課題を解決するための手段】
【００１７】
本発明の一つの態様は、画像情報に基づいて被記録材に画像を記録する記録ユニットと、原稿を読み取る読取ユニットとを備え、該読取ユニットは、該記録ユニットに対して開閉可能に配され、原稿を載置する原稿台と、該記録ユニットおよび該原稿台に対して開閉可能に配され、該原稿台に原稿を押し付ける圧板部とを有する画像読取記録装置において、
前記記録ユニットに対して、前記原稿台と前記圧板部の両方とも開いたときに、前記原稿台に対して前記圧板部が開く状態になることを規制する圧板部規制手段をさらに備えたことを特徴とする。
【発明の効果】
【００１８】
本発明によれば、記録ユニットに対して読取ユニット（原稿台と圧板部からなるユニット）が開いた状態で、読み取りユニットの原稿台に対して圧板部が開くことを防止できる画像読取記録装置が提供される。
【００１９】
本発明は、圧板部規制手段を備えたことにより、圧板部が、記録ユニット後方の壁、例えば記録ユニットの給紙部トレー等に干渉するのを防ぎ、結果、圧板部および記録ユニットの給紙部トレー等が傷および破損するのを防ぐことができる。また、画像読取記録装置が後方に転倒するのを回避できる。
【図面の簡単な説明】
【００２０】
【図１】本発明による画像読取記録装置の記録ユニットに対して読取ユニットを開いた状態を示す斜視透視図。
【図２】本発明による画像読取記録装置の原稿台に対して圧板部を開いた状態を示す斜視透視図。
【図３】本発明による画像読取記録装置の記録ユニットに対して読取ユニットを閉じた状態を示す側面透視図。
【図４】本発明による画像読取記録装置の原稿台に対して圧板部を開いた状態を示す側面透視図。
【図５】本発明による画像読取記録装置の記録ユニットに対して読取ユニットを開いた状態を示す側面透視図。
【図６】本発明による画像読取記録装置の記録ユニットに対して読取ユニットと原稿台に対して圧板部を共に開いた状態を示す側面透視図。
【図７】従来の画像読取記録装置における、記録ユニットに対して読取ユニットを閉じた状態を示す側面透視図。
【図８】従来の画像読取記録装置における、原稿台に対して圧板部を開いた状態を示す側面透視図。
【図９】従来の画像読取記録装置における、記録ユニットに対して読取ユニットを開いた状態を示す側面透視図。
【図１０】従来の画像読取記録装置における、記録ユニットに対して読取ユニットと原稿台に対して圧板部を共に開いた状態を示す側面透視図。
【発明を実施するための形態】
【００２１】
以下、本発明の実施形態について図面を参照して説明する。ただし、本発明は図示した形態に限定されず、その形態は本発明の技術思想を逸脱しない範囲であらゆる変更が可能である。
【００２２】
（実施形態１）
図１は本発明による画像読取記録装置の一実施形態において記録ユニットに対して読取ユニット（原稿台と圧板部からなるユニット）を開いた状態を示す斜視図である。図２は図１の画像読取記録装置において原稿台に対して圧板部を開いた状態を示す斜視図である。
【００２３】
図１及び図２において、画像読取記録装置は、記録ユニット１と、読取ユニット（スキャナ部）２と、を備えている。記録ユニット１は画像情報に基づいて記録ヘッドにより被記録材（例えば記録用紙、はがき、フィルムシートなど）に画像を記録するように構成されている。記録ユニット１の上部には、ミドルフレーム１０を介して不図示の原稿台ヒンジ９を中心に、原稿上の画像を読み取るための読取ユニット２が開閉可能に装着されている。この読取ユニット２は、原稿を載置する原稿台４と、原稿台４に開閉可能に装着され原稿台４に原稿を押し付けるための圧板部５と、を備えている。
【００２４】
図１において、記録ユニット１に内蔵されたプリンタ３は、被記録材を搬送する搬送手段と、被記録材にインク滴を吐出して画像を記録する記録ヘッドおよびインクタンクを搭載するキャリッジと、を有する。記録ユニット１に対して読取ユニット２を不図示の原稿台ヒンジ９を中心に回転させ開かれると、記録ユニット１の内部のプリンタ３にアクセス可能となる。この状態になると、不図示の開放検知手段からＣＰＵに対して読取ユニット開放検知信号が送られる。この検知信号に基づいて、不図示のキャリッジモータの駆動により、キャリッジ３０が、記録ユニット１の中央部に設定された、インクタンク３1の交換位置へ移動してくる。図１は、キャリッジ３０がインクタンク３1の交換位置にあるときの状態を示す。これにより、キャリッジ３０上のインクタンク３1の交換、その他の所望のメンテナンス作業を行うことが可能となる。
【００２５】
図２において、読取ユニット２のうち圧板部５は、原稿台４に対して圧板ヒンジ６により、回転可能にかつ上下移動可能に取り付けられている。原稿台４に対して圧板部５が開いたときに、記録ユニット１に対して原稿台４が閉じた状態を規制する原稿台規制手段７が設けられている。原稿台規制手段７は、本実施形態では画像読取記録装置の左手側面側に配置されている。原稿台規制手段７は、背景技術の中で述べてあるので、ここでは説明を省略する。
【００２６】
ここで、本実施形態では、以下に説明するように、記録ユニット１に対して読取ユニット（前記原稿台と前記圧板部からなるユニット）２を開く状態にしたとき、原稿台４に対して圧板部５が開く状態にすることを規制可能な圧板部規制手段８が設けられている。さらには、記録ユニット１に対して、読取ユニット２が閉じた状態で圧板部規制手段８が解除され、読取ユニット２が開いた状態で圧板部規制手段８が作動するように構成されている。
【００２７】
このような構成によって、記録ユニット１に対して読取ユニット２を開く状態にしたとき、原稿台４に対して圧板部５が開くことを防止される。
【００２８】
図２において、圧板部規制手段８は、本実施形態では画像読取記録装置の右手側面側に配置されている。
【００２９】
次に、圧板部規制手段８の構成およびその動作について詳細に説明する。
【００３０】
図３乃至図６において、それぞれ、（ａ）は、上記形態を有する画像読取記録装置の種々の使用時の主要部状態を装置右手側面からみた透視図で、（ｂ）は、（ａ）の破線円部Ｚの詳細図である。
【００３１】
図３は記録ユニット１に対して読取ユニット（原稿台と圧板部からなるユニット）２を閉じた状態を示し、図４は図３の状態から原稿台４に対して圧板部５を開いた状態を示し、図５は図３の状態から記録ユニット１に対して読取ユニット（原稿台と圧板部からなるユニット）２を開いた状態を示し、図６は図５の状態から原稿台４に対して圧板部５を開いた状態を示す。
【００３２】
図３乃至図６を参照すると、読取ユニット２のうち原稿台４に対して圧板部５を閉じた状態に規制するための圧板部規制手段８は、画像読取記録装置の右手側面側に配置されている。圧板部規制手段８は、圧板部規制レバー８０と圧板部固定フック５ｃとで構成されている。圧板部規制レバー８０は、その中間部の軸受部８０ａを介して、原稿台４の軸４ｅに回転可能に軸支されている。圧板部固定フック５ｃは、圧板部５の底面（底部）に設けられている。
【００３３】
圧板部規制レバー８０は、その一方のアーム部には斜面部８０ｃが設けられている。この斜面部８０ｃは、圧板部規制ばね（図示の例では引張コイルスプリング）８２により圧板部規制レバー８０が軸受部８０ａを中心に図示時計回り（矢印？）に付勢されると、原稿台４より下方へ突出する。また、圧板部規制レバー８０の他方のアーム部の先端には、記録ユニット１の圧板部５に設けられている圧板部固定フック５ｃと係合可能な爪部８０ｂが設けられている。この爪部８０ｂは、圧板部規制ばね８２により圧板部規制レバー８０が軸受部８０ａを中心に図示時計回り（矢印？）に付勢されると、原稿台４より上方へ突出する。
【００３４】
記録ユニット１に対して読取ユニット（原稿台４と圧板部５からなるユニット）２を閉じた状態を示す図３の状態では、圧板部規制レバー８０の斜面部８０ｃが、記録ユニット１のミドルフレーム１０に設けられた斜面リブ部８１に当接し、圧板部規制レバー８０は、圧板部規制ばね８２に抗して図示反時計回り（矢印？）に回転変位する。このため、圧板部規制レバー８０の爪部８０ｃは、圧板部５に設けられた圧板部固定フック５ｃから離れており、圧板部固定フック５ｃに引っ掛からない状態になっている。このような図３の状態では、読取ユニット２のうち圧板部５は、原稿台４に対して、原稿台ヒンジ６を中心に開放（回転）可能であり、図４の状態とすることが可能である。
【００３５】
さらに、図３の状態から記録ユニット１に対して読取ユニット２を開いた状態にすると、圧板部規制ばね８２の付勢力によって、圧板部規制レバー８０は図示時計回り（矢印？）回転し、爪部８０ｃが上方へ突出する。このような位置まで圧板部規制レバー８０が回転すると、図５に示すように、圧板部規制レバー８０に設けられた爪部８０ｂが、圧板部５に設けられた圧板部固定フック５ｃと引っ掛かった状態（クランプされた状態）になる。これによって、圧板部５は、原稿台４に対して圧板ヒンジ６を中心に回転できない状態になる。つまり、読取ユニット２が開くと、原稿台４は、圧板部５に対して閉じた位置に規制（ロック）され開放することができない状態となる。
【００３６】
よって、記録ユニット１に対して読取ユニット（原稿台４と圧板部５の組）２を開いた図５および図９の状態から、さらに読取ユニット２の原稿台４に対して圧板部５が開いた図６および図１０の状態とすることを防ぐことができる。
【００３７】
なお、本実施形態における圧板部規制手段８では、可動側である圧板部規制レバー８０を読取ユニット２の原稿台４側に設け、固定フック５ｃを圧板部５側に設ける構成とした。しかし、可動側である圧板部規制レバー８０を読取ユニット２の圧板部５側に設け、固定フック５ｃを原稿台４側に設ける構成として、さらにこの圧板部規制レバー８０を解除する機構を設ける構成にしても良い。
【００３８】
なお、以上の実施形態における圧板部５に、読取ユニット（スキャナ部）２に原稿を給紙する機構である自動原稿供給装置（ＡＤＦ）が設けられていたり、図１に図示されるように液晶などの表示パネル部や操作部が設けられていたりする場合もある。この場合の圧板部４はより記録ユニット後方の壁（または記録ユニットの給紙部トレー等）に当たりやすいため、圧板部規制手段８は有効である。
【００３９】
また、圧板部規制手段８の動き（図３の状態から図５の状態への動き）を検出するスイッチが設けることにより、記録ユニット１に対して読取ユニット２が開いたことを検知することが可能である。別途、読取ユニット２の開閉スイッチと検出レバーなどを設ける必要もなくなり、コストダウンにつながる。
【００４０】
なお、以上の実施形態における記録ユニットとしては、インクジェット式、レーザービーム式、熱転写式、感熱式、ワイヤドット式などの記録方式の如何に関わらず、いずれの記録方式の記録装置でも使用可能である。
【００４１】
以上説明した実施形態は、記録ユニット１に開閉可能に装着された読取ユニット２と、読取ユニット２の原稿台４に原稿を押し付けるために読取ユニット２に開閉可能に取り付けられた圧板部５と、を備えた画像読取記録装置に係るものである。本実施形態によれば、記録ユニット１に対して読取ユニット（原稿台４と圧板部５からなる組）２を開く状態にしたとき、原稿台４に対して圧板部５が開く状態にすることを規制可能な圧板部規制手段８（圧板部規制レバー８０、原稿台固定フック５ｃ、圧板部規制ばね８２等からなる）が設けられている。さらには、記録ユニット１に対して、読取ユニット２が閉じた状態で圧板部規制手段８が解除され、読取ユニット２が開いた状態で圧板部規制手段８が作動するように構成されている。このような構成によれば、記録ユニット１に対して読取ユニット（原稿台と圧板部の組）２を開く状態にしたとき、原稿台に対して圧板部が開くことを防止することができる。また、圧板部５が、記録ユニット後方の壁（または記録ユニットの給紙部トレー等）に干渉するのを防ぎ、そして、圧板部５および記録ユニット１の給紙部トレー等が傷および破損するのを防ぐことができ、画像読取記録装置が後方に転倒するのを回避できる。
【符号の説明】
【００４２】
１        記録ユニット
２        読取ユニット
４        原稿台
５        圧板部
７        原稿台規制手段
８        圧板部規制手段
７０        原稿台規制レバー
７１        原稿台固定フック
７２        原稿台規制ばね
８０        圧板部規制レバー
８１        斜面リブ部
８２        圧板部規制ばね
【図１】
2012033992.tif 000003
【図２】
2012033992.tif 000004
【図３】
2012033992.tif 000005
【図４】
2012033992.tif 000006
【図５】
2012033992.tif 000007
【図６】
2012033992.tif 000008
【図７】
2012033992.tif 000009
【図８】
2012033992.tif 000010
【図９】
2012033992.tif 000011
【図１０】
2012033992.tif 000012